(57)【要約】【課題】  歯牙修復材用カプセル内の歯牙修復材を確実に押し出す耐久性に優れた歯牙修復材の押出し装置におけるピストンロッドの移動機構を提供する。【解決手段】  前端に歯牙修復材用カプセルが装着されるハウジング本体３内に摺動自在に挿通されているピストンロッド１を前方へ移動させるための歯牙修復材の押出し装置におけるピストンロッドの移動機構を、ハウジング本体３内でピストンロッド１の外周に沿って配備されるグリッパ７と、レバー作動部8aが前方へ移動されるとグリッパ７を縮径させてピストンロッド１の外周を把持させてピストンロッド１を前方へ移動させ、レバー作動部8aが後方へ移動されるとグリッパ７との当接が解除された後にグリッパ７を後方の初期位置へと押戻すプッシュスライダ８とで構成する。【選択図】      図１
2005328978.tif 000002
【特許請求の範囲】
【請求項１】
前端に歯牙修復材用カプセルが装着されるハウジング本体(３)内に摺動自在に挿通されているピストンロッド(１)を前方へ移動させるための歯牙修復材の押出し装置におけるピストンロッドの移動機構であって、
後端側がその外周の直径が漸次小さくなるように形成されている截頭円錐状部(7a)を有し、その内周がピストンロッド(１)の移動に寄与する部位の直径よりも僅かに大きな把持用貫通穴(7b)が形成され、該截頭円錐状部(7a)に軸方向に平行な複数条のスリット(7c)が設けられていて、前記ハウジング本体(３)内でピストンロッド(１)の外周に沿って配備されるグリッパ(７)と、
ピストンロッド(１)が挿通された状態でハウジング本体(３)内にグリッパ(７)を挟んで位置する上方が開口したコ字状の下方にレバー作動部(8a)が設けられた形状を成し、グリッパ(７)の前方に位置する部分はピストンロッド(１)の前記直径より僅かに大きい直径の押戻し穴(8b)が穿設されている押戻し部(8c)を、グリッパ(７)の後方に位置する部分はグリッパ(７)の前記截頭円錐状部(7a)に当接する直径の押し穴(8d)が穿設されている押し部(8e)を構成していて、該レバー作動部(8a)が前方へ移動されると該押し部(8e)の押し穴(8d)でグリッパ(７)の前記截頭円錐状部(7a)を縮径させてピストンロッド(１)の外周を把持させてピストンロッド(１)を前方へ移動させ、該レバー作動部(8a)が後方へ移動されると該押し部(8e)の押し穴(8d)とグリッパ(７)の前記截頭円錐状部(7a)との当接が解除された後に該押戻し部(8c)によりグリッパ(７)を後方の初期位置へと押戻すプッシュスライダ(８)と、
から構成されていることを特徴とする歯牙修復材の押出し装置におけるピストンロッドの移動機構。
【請求項２】
円柱状を成し、前端に歯牙修復材用カプセル内に収容されている歯牙修復材を押し出す押圧部(1a)が、該押圧部(1a)の後方にその前方の直径より後方の直径を太く形成する段部(1b)が、該段部(1b)の後方にリング係止溝(1c)がそれぞれ設けられていると共に、該リング係止溝(1c)に係止された止め輪(1d)と前端側より外嵌されその後面を該止め輪(1d)に支持されているリング(1e)とを備え、該止め輪(1d)より後方がその移動に寄与する部位を成すピストンロッド(１)と、
後端が閉塞された筒状を成し、前部外周にフランジ(2a)が設けられていると共に、ピストンロッド(１)の後方側が摺動自在に挿入されるリセットプッシャ(２)と、
前端に前記歯牙修復材用カプセルが装着される装着部(3a)が、該装着部(3a)の後方にピストンロッド(１)がその軸方向へ移動自在に挿通されると共にピストンロッド(１)に外嵌されている前記リング(1e)の直径よりもその直径が大きく形成された前部案内路(3b)が、該前部案内路(3b)の後方にピストンロッド(１)がその軸方向へ摺動自在に挿通される前部支持案内路(3c)が、該前部支持案内路(3c)の後方に下方が開口したプッシュスライダ案内路(3d)が、該プッシュスライダ案内路(3d)の後方にピストンロッド(１)がその軸方向へ摺動自在に挿通される中部支持案内路(3e)が、該中部支持案内路(3e)の後方に下方が開口したストッパプレート案内路(3f)が、該ストッパプレート案内路(3f)の後方から後端に亘ってリセットプッシャ(２)の前記フランジ(2a)よりもその直径が小さく形成されておりその前方側よりリセットプッシャ(２)が摺動自在に挿通される最後部のリセットプッシャ案内路(3g)が、それぞれ設けられており、該リセットプッシャ案内路(3g)の下方には該ストッパプレート案内路(3f)へ向けてネジ孔(3h)が穿設されているハウジング本体(３)と、
ハウジング本体(３)の前記前部案内路(3b)の前方に螺合され、その内面にピストンロッド(１)の前記段部(1b)より前方の部分がその軸方向へ摺動自在な貫通穴(4a)が穿設されている固定ナット(４)と、
ピストンロッド(１)に外嵌された前記リング(1e)の前面と固定ナット(４)の後面との間にピストンロッド(１)の外周に沿って配備され、ピストンロッド(１)を後方へ押戻す力を常時付与するピストンロッド押戻し用圧縮コイルスプリング(５)と、
ピストンロッド(１)の前記段部(1b)より後方の部分の直径よりもその上端と下端との間の距離が長く形成されているピストンロッド用係合穴(6a)が穿設されており、ハウジング本体(３)の前記ストッパプレート案内路(3f)内にピストンロッド(１)の外周に沿って配備されたストッパプレート用圧縮コイルスプリング(6b)により後方へ常時押圧されていて、その上方の後面がリセットプッシャ(２)の前面上部に且つその下方の後面がリセットプッシャ(２)の前面よりも前方側に位置するようにハウジング本体(３)の前記ネジ孔(3h)に螺入されたストッパプレート位置調整ネジ(6c)の前端に当接してピストンロッド(１)の軸心に対して傾斜した状態では該ピストンロッド用係合穴(6a)の上端と下端とがピストンロッド(１)の外周に係合し、リセットプッシャ(２)が前方に押し込まれてピストンロッド(１)の軸心に対して直角になった状態では該ピストンロッド用係合穴(6a)の上端と下端とのピストンロッド(１)の外周への係合が解除されるストッパプレート(６)と、
を備えている歯牙修復材の押出し装置であって、
前記ハウジング本体(３)のプッシュスライダ案内路(3d)に請求項１に記載の歯牙修復材の押出し装置におけるピストンロッドの移動機構が配備されていると共に、
前記ピストンロッドの移動機構のプッシュスライダ(８)のレバー作動部(8a)をスプリング(9b)の力に抗してピストンロッド(１)の軸方向に移動させるレバー(９)がハウジング本体(３)に固定されたレバー軸(9a)に回転自在に装着されていることを特徴とする歯牙修復材の押出し装置。
【請求項３】
プッシュスライダ(８)のレバー作動部(8a)をピストンロッド(１)の軸方向に移動させる際にレバー(９)に力を作用するスプリング(9b)が、ハウジング本体(３)のプッシュスライダ案内路(3d)内でプッシュスライダ(８)の押戻し部(8c)の前面とハウジング本体(３)の前部支持案内路(3c)の後面との間でピストンロッド(１)の外周に沿って配備された圧縮コイルスプリングであり、ハウジング本体(３)の前部支持案内路(3c)の下方にレバー初期位置設定用座ぐり部(3i)が設けられている請求項２に記載の歯牙修復材の押出し装置。
【請求項４】
プッシュスライダ(８)のレバー作動部(8a)をピストンロッド(１)の軸方向に移動させる際にレバー(９)に力を作用するスプリング(9b)が、一端がハウジング本体(３)の後部に他端がレバー(９)にそれぞれ装着された引張りスプリングであり、プッシュスライダ(８)のレバー作動部(8a)とレバー(９)の上部とがプッシュスライダ(８)のピストンロッド(１)の軸方向への移動を許容する接続部(8f)で接続されている請求項２に記載の歯牙修復材の押出し装置。
【請求項５】
ハウジング本体(３)の前端に設けられた歯牙修復材用カプセルが装着される装着部(3a)が、歯牙修復材用カプセルを螺入して装着させるために雌ねじ状に形成されている請求項２から４までの何れか１項に記載の歯牙修復材の押出し装置。
【発明の詳細な説明】
【技術分野】
【０００１】
本発明は、歯牙修復材用カプセル内に収容されている歯牙修復材を所望量だけ患者の治療部位に向けて押し出すための歯牙修復材の押出し装置におけるピストンロッドの移動機構及びこれを用いた歯牙修復材の押出し装置に関するものである。
【背景技術】
【０００２】
一般に、歯牙のう蝕部分に歯科用セメントの如き歯牙修復材を充填する歯科治療方法としては、歯牙修復材を構成する粉末成分と液体成分とを所定量ずつ一つの歯牙修復材用カプセル内に隔離して収納し、歯牙修復材を使用する際にその歯牙修復材用カプセル内で粉末成分と液体成分とを隔離している隔壁を破壊した後に直ちに自動練和機にその歯牙修復材用カプセルを装着して粉末成分と液体成分とを混合練和させ、しかる後にその歯牙修復材用カプセルを歯牙修復材の押出し装置にセットして混合練和された歯牙修復材をその歯牙修復材用カプセルのノズルから所望量だけ患者の治療部位に向けて押し出す治療方法が普及してきた。
【０００３】
このような治療方法に使用される歯牙修復材の押出し装置としては、例えば本出願人によって開発された、上方には、前端に歯牙修復材用カプセルの装着部位が、前部にピストンロッドが移動自在に挿通される案内路が貫通して、中央部にプッシュプレートを支持すると共に該ピストンロッドの案内路も兼ねる支持部が垂下されて、後部に該ピストンロッドの後端に装着されるリセットプッシャーが挿通されるリセットプッシャー案内路が貫通してそれぞれ設けられていると共に該リセットプッシャー案内路の直下に螺設されているメネジにストッパープレート位置調整用ネジが螺合されており、また前部の下方にはレバーの初期位置を規定するための座ぐり部が設けられているハウジング本体と、
該ハウジング本体のリセットプッシャー案内路に挿通されており、後端が閉塞された筒状を成し前部外周にフランジが設けられているリセットプッシャーと、
前記ハウジング本体の案内路と支持部の案内路とを貫通し後端が該リセットプッシャー内に挿入されており該ハウジング本体内で少なくともプッシュプレートに係合される部分に一定ピッチの溝が設けられており、初期状態において該ハウジング本体内の案内路内の後端に位置する部分に止め輪嵌着用の溝が設けられていると共に該溝より前方に段部が設けられていて該段部より前方の直径が歯牙修復材用カプセルの後端と係合する直径となっているピストンロッドと、
上端が前記リセットプッシャーの前端上部に、下部が前記ストッパープレート位置調整用ネジの前端に当接するようにストッパープレート用スプリングで常時押圧されており、傾斜している状態では係合穴の上端と下端とが該係合穴を貫通している前記ピストンロッドの外周に係合してその摩擦力で該ピストンロッドがその軸方向に移動するのを阻止し、前記リセットプッシャーが前方に押し込まれて該ピストンロッドの軸心に対して直角になると該ピストンロッドの外周に係合しなくなって該ピストンロッドがその軸方向に移動するのを阻止しなくなるストッパープレートと、
レバーが操作されない状態では前記ハウジング本体内の支持部の前面に上部後面が当接するようにプッシュプレート用スプリングで常時押圧されて前記ピストンロッドの軸心に対して直角な状態になって該ピストンロッドが貫通している係合穴が該ピストンロッドの外周に係合しなくなり、レバーが操作されてその上端が支持部の前面に当接して傾斜した状態になると係合穴の上端と下端とが該ピストンロッドの外周に係合してその摩擦力で該ピストンロッドをその軸方向に前方に移動させるプッシュプレートと、
前記ハウジング本体の前端の装着部位より後方に螺合されておりその内面に前記ピストンロッドの前部が軸方向に摺動して移動し得る貫通穴が穿設されている固定ナットと、該ピストンロッドに遊嵌されており該ピストンロッドの止め輪嵌着用の溝に係合されている止め輪でその後面を支持されているリングの前面と該固定ナットの後面との間に設けられており前記ストッパープレートの係合穴が該ピストンロッドの外周に係合している摩擦力に打ち勝って該ピストンロッドをその軸方向に押し戻さない力を付与するピストンロッド押し戻し用スプリングと、
前記ハウジング本体に固定されたレバー軸に回転自在に装着されており、上部後端に該ハウジング本体の後部のスプリング支持部材にその後端を装着された引張りスプリングの前端が装着されたスプリング支持部が設けられており、前部にハウジング本体の座ぐり部と当接する突起部が設けられており、上部に前記プッシュプレートの下端後部に当接するプッシュプレート押圧部が設けられているレバーと、より成る歯牙修復材の押出し装置（例えば、特許文献１参照。）が存在する。
【０００４】
しかしながら、このような歯牙修復材の押出し装置は、歯牙修復材を歯牙修復材用カプセル内から押し出すのに大きな力を必要とせず、いつも略同じ把持状態で所望の量だけを押し出すことができると共に、歯牙修復材の押出し操作を中断した後に再び開始しても遊びが無く直ちに歯牙修復材を歯牙修復材用カプセル内から押し出すことができるものの、この歯牙修復材の押出し装置におけるピストンロッドの移動機構は、レバーが操作されてプッシュプレートが傾斜した状態になると、このプッシュプレートの係合穴の上端と下端とが、少なくともプッシュプレートに係合される部分に一定ピッチの溝が設けられているピストンロッドの外周に係合して、その摩擦力でこのピストンロッドをその軸方向に前方に移動させる構造となっているから、このプッシュプレートの係合穴が丸穴である場合には係合穴とピストンロッドの外周との係合は点接触で、またプッシュプレートの係合穴が楕円形の穴である場合には係合穴とピストンロッドの外周との係合は長さの短い線接触であって、係合穴とピストンロッドの外周との係合部での接触面積は非常に小さいので、レバーを操作した際の力はそのごく僅かな接触面に集中してしまい、ピストンロッドをその軸方向に前方へ移動させる操作を繰り返すと、プッシュプレートの係合穴やピストンロッドの外周が短期間で摩耗したり、変形や欠損等が生じてしまったりし易いので、その寿命が短いという欠点があった。
【０００５】
また、前記したようにこの歯牙修復材の押出し装置におけるピストンロッドの移動機構は、係合穴とピストンロッドの外周とが係合するに際してその接触面積は非常に小さいから、歯牙修復材を歯牙修復材用カプセル内から押し出す際の抵抗力が強い場合や、ピストンロッドをその軸方向に前方に移動させる操作を繰り返すことによりプッシュプレートの係合穴やピストンロッドの外周が摩耗したり変形や欠損等が生じたりした場合には、レバーを操作した際にプッシュプレートの係合穴とピストンロッドの外周との係合が突然外れて滑ってしまい、ピストンロッドをその軸方向に前方へ移動させることができないという欠点があるばかりか、レバーが一気に回転してしまうことによって思わぬ怪我を負ってしまうという欠点もあった。
【０００６】
【特許文献１】特開平９−２５３０９５号公報
【発明の開示】
【発明が解決しようとする課題】
【０００７】
本発明は、前記従来技術の欠点を解消し、歯牙修復材用カプセル内に収容されている歯牙修復材を所望量だけ患者の治療部位に向けて押し出すための歯牙修復材の押出し装置におけるピストンロッドの移動機構及びこれを用いた歯牙修復材の押出し装置であって、特に耐久性に優れていると共にピストンロッドをその軸方向に前方へ確実に移動させることができる歯牙修復材の押出し装置におけるピストンロッドの移動機構及びこれを用いた歯牙修復材の押出し装置を提供することを課題とする。
【課題を解決するための手段】
【０００８】
本発明者は前記課題を解決すべく鋭意研究の結果、前端に歯牙修復材用カプセルが装着されるハウジング本体内に摺動自在に挿通されているピストンロッドを前方へ移動させるための歯牙修復材の押出し装置におけるピストンロッドの移動機構を、ハウジング本体内でピストンロッドの外周に沿って配備されるグリッパと、レバー作動部が前方へ移動されるとグリッパを縮径させてピストンロッドの外周を把持させてピストンロッドを前方へ移動させ、レバー作動部が後方へ移動されるとグリッパとピストンロッドとの当接が解除された後にグリッパを後方の初期位置へと押戻すプッシュスライダとで構成すれば、耐久性に優れていると共にピストンロッドをその軸方向に前方へ確実に移動させることができることを究明して本発明を完成したのである。
【０００９】
即ち本発明は、前端に歯牙修復材用カプセルが装着されるハウジング本体内に摺動自在に挿通されているピストンロッドを前方へ移動させるための歯牙修復材の押出し装置におけるピストンロッドの移動機構であって、
後端側がその外周の直径が漸次小さくなるように形成されている截頭円錐状部を有し、その内周がピストンロッドの移動に寄与する部位の直径よりも僅かに大きな把持用貫通穴が形成され、該截頭円錐状部に軸方向に平行な複数条のスリットが設けられていて、前記ハウジング本体内でピストンロッドの外周に沿って配備されるグリッパと、
ピストンロッドが挿通された状態でハウジング本体内にグリッパを挟んで位置する上方が開口したコ字状の下方にレバー作動部が設けられた形状を成し、グリッパの前方に位置する部分はピストンロッドの前記直径より僅かに大きい直径の押戻し穴が穿設されている押戻し部を、グリッパの後方に位置する部分はグリッパの前記截頭円錐状部に当接する直径の押し穴が穿設されている押し部を構成していて、該レバー作動部が前方へ移動されると該押し部の押し穴でグリッパの前記截頭円錐状部を縮径させてピストンロッドの外周を把持させてピストンロッドを前方へ移動させ、該レバー作動部が後方へ移動されると該押し部の押し穴とグリッパの前記截頭円錐状部との当接が解除された後に該押戻し部によりグリッパを後方の初期位置へと押戻すプッシュスライダと、
から構成されていることを特徴とする歯牙修復材の押出し装置におけるピストンロッドの移動機構である。
【００１０】
そして、このような本発明に係る歯牙修復材の押出し装置におけるピストンロッドの移動機構を用いて歯牙修復材の押出し装置を構成すれば、耐久性に優れていると共にピストンロッドをその軸方向に前方へ確実に移動させることができるので、歯牙修復材用カプセル内に収容されている歯牙修復材を所望量だけ患者の治療部位に向けて押し出すための歯牙修復材の押出し装置を得ることができることも究明したのである。
【００１１】
即ち本発明に係る歯牙修復材の押出し装置におけるピストンロッドの移動機構を用いた歯牙修復材の押出し装置は、
円柱状を成し、前端に歯牙修復材用カプセル内に収容されている歯牙修復材を押し出す押圧部が、該押圧部の後方にその前方の直径より後方の直径を太く形成する段部が、該段部の後方にリング係止溝がそれぞれ設けられていると共に、該リング係止溝に係止された止め輪と前端側より外嵌されその後面を該止め輪に支持されているリングとを備え、該止め輪より後方がその移動に寄与する部位を成すピストンロッドと、
後端が閉塞された筒状を成し、前部外周にフランジが設けられていると共に、ピストンロッドの後方側が摺動自在に挿入されるリセットプッシャと、
前端に前記歯牙修復材用カプセルが装着される装着部が、該装着部の後方にピストンロッドがその軸方向へ移動自在に挿通されると共にピストンロッドに外嵌されている前記リングの直径よりもその直径が大きく形成された前部案内路が、該前部案内路の後方にピストンロッドがその軸方向へ摺動自在に挿通される前部支持案内路が、該前部支持案内路の後方に下方が開口したプッシュスライダ案内路が、該プッシュスライダ案内路の後方にピストンロッドがその軸方向へ摺動自在に挿通される中部支持案内路が、該中部支持案内路の後方に下方が開口したストッパプレート案内路が、該ストッパプレート案内路の後方から後端に亘ってリセットプッシャの前記フランジよりもその直径が小さく形成されておりその前方側よりリセットプッシャが摺動自在に挿通される最後部のリセットプッシャ案内路が、それぞれ設けられており、該リセットプッシャ案内路の下方には該ストッパプレート案内路へ向けてネジ孔が穿設されているハウジング本体と、
ハウジング本体の前記前部案内路の前方に螺合され、その内面にピストンロッドの前記段部より前方の部分がその軸方向へ摺動自在な貫通穴が穿設されている固定ナットと、
ピストンロッドに外嵌された前記リングの前面と固定ナットの後面との間にピストンロッドの外周に沿って配備され、ピストンロッドを後方へ押戻す力を常時付与するピストンロッド押戻し用圧縮コイルスプリングと、
ピストンロッドの前記段部より後方の部分の直径よりもその上端と下端との間の距離が長く形成されているピストンロッド用係合穴が穿設されており、ハウジング本体の前記ストッパプレート案内路内にピストンロッドの外周に沿って配備されたストッパプレート用圧縮コイルスプリングにより後方へ常時押圧されていて、その上方の後面がリセットプッシャの前面上部に且つその下方の後面がリセットプッシャの前面よりも前方側に位置するようにハウジング本体の前記ネジ孔に螺入されたストッパプレート位置調整ネジの前端に当接してピストンロッドの軸心に対して傾斜した状態では該ピストンロッド用係合穴の上端と下端とがピストンロッドの外周に係合し、リセットプッシャが前方に押し込まれてピストンロッドの軸心に対して直角になった状態では該ピストンロッド用係合穴の上端と下端とのピストンロッドの外周への係合が解除されるストッパプレートと、
を備えている歯牙修復材の押出し装置であって、
前記ハウジング本体のプッシュスライダ案内路に前記した構成より成る本発明に係る歯牙修復材の押出し装置におけるピストンロッドの移動機構が配備されていると共に、
前記ピストンロッドの移動機構のプッシュスライダのレバー作動部をスプリングの力に抗してピストンロッドの軸方向に移動させるレバーがハウジング本体に固定されたレバー軸に回転自在に装着されていることを特徴とする歯牙修復材の押出し装置である。
【００１２】
そして、このような本発明に係る歯牙修復材の押出し装置において、プッシュスライダのレバー作動部をピストンロッドの軸方向に移動させる際にレバーに力を作用するスプリングとしては、ハウジング本体のプッシュスライダ案内路内でプッシュスライダの押戻し部の前面とハウジング本体の前部支持案内路の後面との間でピストンロッドの外周に沿って配備された圧縮コイルスプリングであってハウジング本体の前部支持案内路の下方にレバー初期位置設定用座ぐり部が設けられていたり、一端がハウジング本体の後部に他端がレバーにそれぞれ装着された引張りスプリングであってプッシュスライダのレバー作動部とレバーの上部とがプッシュスライダのピストンロッドの軸方向への移動を許容する接続部で接続されていたりすれば、レバーを操作した後にレバーを確実に初期位置に戻すことができるので好ましいことも究明したのである。
【００１３】
また、このような本発明に係る歯牙修復材の押出し装置において、ハウジング本体の装着部が、歯牙修復材用カプセルを螺入して装着させるために雌ねじ状に形成されていれば、ハウジング本体の装着部に確実に歯牙修復材用カプセルを装着することができるので好ましいことも究明したのである。
【発明の効果】
【００１４】
本発明に係る歯牙修復材の押出し装置におけるピストンロッドの移動機構及びこれを用いた歯牙修復材の押出し装置は、前記した構成より成るものであるから、プッシュスライダが前方へ移動されると、その押し部の押し穴でグリッパの截頭円錐状部を縮径させてピストンロッドの外周を把持させてピストンロッドを前方へ移動させる構成となっており、グリッパはその内周の広い面積でピストンロッドの外周と面接触してピストンロッドを把持するものであるので、従来の装置と比較してグリッパの内面とピストンロッドの外周との接触面積を格段に広くすることができるから、レバーを操作した際の力は分散するので、レバーを操作した際の力がグリッパの内面やピストンロッドの外周の狭い部位に集中することがなく、グリッパやピストンロッドが摩耗したり変形してしまったりすることが殆どないので、これらの寿命を長くすることができると共に、耐久性を格段に向上させることができる。
【００１５】
また、前記したようにグリッパの内面とピストンロッドの外周との接触面積を広くすることができるから、レバーを操作した際にピストンロッドの外周をグリッパの内面で確実に把持することができるので、歯牙修復材を歯牙修復材用カプセル内から押し出す際の抵抗力が強い場合であっても、グリッパが軸方向に滑ってしまったりすることなく、確実にピストンロッドをその軸方向に前方へ移動させることができるばかりでなく、レバーが一気に回転してしまうことによって思わぬ怪我を負ってしまうことを確実に防止することができる。
【００１６】
更に、ピストンロッドはその外周に沿って配備されるグリッパに把持されてその軸方向に前方へ移動させられるから、ピストンロッドに一定のピッチで溝を設ける必要がないので、装置全体の製造コストを安価に押えることができる。
【００１７】
そして、本発明に係る歯牙修復材の押出し装置において、プッシュスライダのレバー作動部をピストンロッドの軸方向に移動させる際にレバーに力を作用するスプリングが、ハウジング本体のプッシュスライダ案内路内でプッシュスライダの押戻し部の前面とハウジング本体の前部支持案内路の後面との間でピストンロッドの外周に沿って配備された圧縮コイルスプリングであってハウジング本体の前部支持案内路の下方にレバー初期位置設定用座ぐり部が設けられていたり、また一端がハウジング本体の後部に他端がレバーにそれぞれ装着された引張りスプリングであってプッシュスライダのレバー作動部とレバーの上部とがプッシュスライダのピストンロッドの軸方向への移動を許容する接続部で接続されていたりすれば、レバーを操作した後にレバーを確実に初期位置に戻すことができるので好ましいばかりでなく、その操作性を向上させることができるので好ましい。
【００１８】
また、本発明に係る歯牙修復材の押出し装置において、ハウジング本体の装着部が、歯牙修復材用カプセルを螺入して装着させるために雌ねじ状に形成されていれば、ハウジング本体の装着部に確実に歯牙修復材用カプセルを装着することができるので好ましい。
【発明を実施するための最良の形態】
【００１９】
以下、図面により本発明に係る歯牙修復材の押出し装置におけるピストンロッドの移動機構及びこれを用いた歯牙修復材の押出し装置について詳細に説明する。
図１は本発明に係る歯牙修復材の押出し装置の１実施例の正断面説明図、図２は本発明に係る歯牙修復材の押出し装置の他の実施例の正断面説明図、図３は本発明に係る歯牙修復材の押出し装置におけるピストンロッドの移動機構に用いられるグリッパの１例を示す斜視説明図、図４は本発明に係る歯牙修復材の押出し装置におけるピストンロッドの移動機構に用いられるプッシュスライダの１例を示す斜視説明図、図５は本発明に係る歯牙修復材の押出し装置に用いられる止め輪とリングとを装着する前の状態のピストンロッドの１例を示す正面説明図である。
【００２０】
先ず、本発明に係る歯牙修復材の押出し装置におけるピストンロッドの移動機構について説明する。
この歯牙修復材の押出し装置におけるピストンロッドの移動機構は、前端に歯牙修復材用カプセルが装着されるハウジング本体３内に摺動自在に挿通されているピストンロッド１を前方へ移動させるための機構であり、後述するグリッパ７とプッシュスライダ８とから構成されている。
【００２１】
この歯牙修復材の押出し装置におけるピストンロッドの移動機構が用いられる歯牙修復材の押出し装置としては、前端に歯牙修復材用カプセルが装着されるハウジング本体３や、このハウジング本体３にハウジング本体３内に摺動自在に挿通されているピストンロッド１等の構成部品から成り、このピストンロッド１がこの歯牙修復材の押出し装置におけるピストンロッドの移動機構により前方へ移動されると、ハウジング本体３の前端に装着される歯牙修復材用カプセル内に収容されている歯牙修復材を押し出すように構成されているものであれば特に限定されないが、図１又は図２に示す如き後述する本発明に係る歯牙修復材の押出し装置であれば、歯牙修復材を歯牙修復材用カプセル内から押し出すのに大きな力を必要せず、いつも略同じ把持状態で所望の量だけを押し出すことができると共に、歯牙修復材の押出し操作を中断した後に再び開始しても遊びが無く直ちに歯牙修復材を歯牙修復材用カプセル内から押し出すことができるので好ましいのである。
【００２２】
この歯牙修復材の押出し装置におけるピストンロッドの移動機構を構成するグリッパ７は、後端側がその外周の直径が漸次小さくなるように形成されている截頭円錐状部7aを有し、その内周がピストンロッド１の移動に寄与する部位の直径よりも僅かに大きな把持用貫通穴7bが形成され、截頭円錐状部7aに軸方向に平行な複数条のスリット7cが設けられていて、ハウジング本体３内でピストンロッド１の外周に沿って配備されるものである。
【００２３】
このグリッパ７は、図３に示す如くその截頭円錐状部7aに軸方向に平行な複数条のスリット7cが設けられており、後述するプッシュスライダ８が前方へ移動されると後述するプッシュスライダ８の押し部8eの押し穴8dが截頭円錐状部7aの後端側より外嵌するように当接していくにつれて、グリッパ７の截頭円錐状部7aに形成されたそれぞれのスリット7cの幅方向が押し縮められて、截頭円錐状部7aの内周に形成された把持用貫通穴7bの後方側の内径が縮径されることによってピストンロッド１の外周を把持するのである。
【００２４】
そして、このクリッパ７がピストンロッド１の外周を把持した状態で後述するプッシュスライダ８が後方へ移動されると、後述するプッシュスライダ８の押し部8eの押し穴8dが截頭円錐状部7aの後端側へ移動して截頭円錐状部7aとの当接が解除され、截頭円錐状部7aのそれぞれのスリット7cの幅方向の距離が初期状態に戻って、截頭円錐状部7aの把持用貫通穴7bの後方側の内径が初期状態になることによってピストンロッド１の外周に対する把持を解除するのである。
【００２５】
この歯牙修復材の押出し装置におけるピストンロッドの移動機構を構成するプッシュスライダ８は、図４に示す如くピストンロッド１が挿通された状態でハウジング本体３内にグリッパ７を挟んで位置する上方が開口したコ字状の下方にレバー作動部8aが設けられた形状を成し、グリッパ７の前方に位置する部分はピストンロッド１の前記直径より僅かに大きい直径の押戻し穴8bが穿設されている押戻し部8cを、グリッパ７の後方に位置する部分はグリッパ７の截頭円錐状部7aに当接する直径の押し穴8dが穿設されている押し部8eを構成していて、レバー作動部8aが前方へ移動されると押し部8eの押し穴8dでグリッパ７の截頭円錐状部7aを縮径させてピストンロッド１の外周を把持させてピストンロッド１を前方へ移動させ、レバー作動部8aが後方へ移動されると押し部8eの押し穴8dとグリッパ７の截頭円錐状部7aとの当接が解除された後に押戻し部8cによりグリッパ７を後方の初期位置へと押戻すものである。
【００２６】
このプッシュスライダ８の押し部8eに穿設されてる押し穴8dとしては、グリッパ７の截頭円錐状部7aに当接するような直径を成す穴が形成され、そしてグリッパ７の截頭円錐状部7aを縮径させてピストンロッド１の外周を把持させてピストンロッド１を前方へ移動させることができるものであれば何でもよいが、例えば押し穴8dの形状が単に前端側と後端側との直径が同一である丸穴が形成されていたり、前端側から後端側にかけてその直径が漸次大きくなるような截頭円錐状に穿設されたような穴が形成されていたりすれば、プッシュスライダ８のレバー作動部8aが前方へ移動されてグリッパ７の截頭円錐状部7aを縮径させてピストンロッド１の外周を把持させるに際し押し部8eの押し穴8dとグリッパ７の截頭円錐状部7aとの当接する部位の面積が少ないから、その後にプッシュスライダ８のレバー作動部8aが後方へ移動されて押し部8eの押し穴8dとグリッパ７の截頭円錐状部7aとの当接が解除される際に、押し部8eの押し穴8dがグリッパ７の截頭円錐状部7aより抜け易くその当接が解除され易いので、歯牙修復材の押出し装置におけるピストンロッドの移動機構全体の動作が円滑になるので好ましい。
【００２７】
次に、このような構成の本発明に係る歯牙修復材の押出し装置におけるピストンロッドの移動機構を用いた歯牙修復材の押出し装置の実施例について説明する。
図面中、１は前端に歯牙修復材用カプセル内に収容されている歯牙修復材を押し出す押圧部1aが、押圧部1aの後方にその前方の直径より後方の直径を太く形成する段部1bが、段部1bの後方にリング係止溝1cがそれぞれ設けられていると共に、リング係止溝1cに係止された止め輪1dと前端側より外嵌されその後面を止め輪1dに支持されているリング1eとを備え、止め輪1dより後方がその移動に寄与する部位を成すピストンロッドであり、図１及び図２に示す如く後述するハウジング本体３内に位置しており、後述するハウジング本体３のプッシュスライダ案内路3dに配備されている前記した歯牙修復材の押出し装置におけるピストンロッドの移動機構（以下、単に「ピストンロッドの移動機構」ということがある。）によりその軸方向に前方へ移動せしめられることによって後述するハウジング本体３に装着された歯牙修復材用カプセルをその押圧部1aで押圧して歯牙修復材用カプセル内に収容されている混合練和された歯牙修復材を押し出す役目を果たす。
【００２８】
このピストンロッド１の押圧部1aの後方には、図５に示す如くその前方の直径より後方の直径を太く形成する段部1bが形成されており、この段部1bはピストンロッド１が前方へ次々と移動すると後述する固定ナット４の後面と当接して、ピストンロッド１がそれ以上前方へ移動しないように位置規制させる役目を果たす。
【００２９】
そして、このピストンロッド１の段部1bの後方には、図５に示す如くリング係止溝1cがそれぞれ設けられており、図１及び図２に示す如くこのリング係止溝1cには止め輪1dが係止され、ピストンロッド１の前端側より外嵌されるリング1eは、その後面をこの止め輪1dの前面により支持されると共に、その前面に後述するピストンロッド押戻し用圧縮コイルスプリング５により付与される押圧力をピストンロッド１に伝達させるのである。
【００３０】
更に、このピストンロッド１の止め輪1dより後方は、図１及び図２に示す如く移動に寄与する部位を成しており、このピストンロッド１の移動に寄与する部位には、後述するハウジング本体３のプッシュスライダ案内路3dで前記した歯牙修復材の押出し装置におけるピストンロッドの移動機構のグリッパ７がその外周に沿って配備されると共に、ピストンロッド１が挿通された状態でこのグリッパ７を挟んで位置するようにプッシュスライダ８が配備されており、このピストンロッド１の移動に寄与する部位に配備されたピストンロッドの移動機構によって、ピストンロッド１がその軸方向に前方へ移動せしめられるのである。
【００３１】
２は後端が閉塞された筒状を成し、前部外周にフランジ2aが設けられていると共に、ピストンロッド１の後方側が摺動自在に挿入されるリセットプッシャであり、後述するハウジング本体３の最後部のリセットプッシャ案内路3g内にそのフランジ2aを前方側にして摺動自在に挿通されて配備され、ピストンロッド１の外周の上端と下端とに後述するストッパプレート６のピストンロッド用係合穴6aが係合するようにそのフランジ2aの前面上部と後述するハウジング本体３のネジ孔3hに螺入された後述するストッパプレート位置調整ネジ6cの前端とでストッパプレート６を支持すると共に、前方に押し込まれるとストッパプレート６をピストンロッド１の軸心に対して直角となるように移行させて、ストッパプレート６のピストンロッド１の外周への係合を解除する役目を果たす。
【００３２】
３は前端に歯牙修復材用カプセルが装着される装着部3aが、この装着部3aの後方にピストンロッド１がその軸方向へ移動自在に挿通されると共にピストンロッド１に外嵌されているリング1eの直径よりもその直径が大きく形成された前部案内路3bが、この前部案内路3bの後方にピストンロッド１がその軸方向へ摺動自在に挿通される前部支持案内路3cが、この前部支持案内路3cの後方に下方が開口したプッシュスライダ案内路3dが、このプッシュスライダ案内路3dの後方にピストンロッド１がその軸方向へ摺動自在に挿通される中部支持案内路3eが、この中部支持案内路3eの後方に下方が開口したストッパプレート案内路3fが、このストッパプレート案内路3fの後方から後端に亘ってリセットプッシャ２のフランジ2aよりもその直径が小さく形成されておりその前方側よりリセットプッシャ２が摺動自在に挿通される最後部のリセットプッシャ案内路3gが、それぞれ設けられており、リセットプッシャ案内路3gの下方にはストッパプレート案内路3fへ向けてネジ孔3hが穿設されているハウジング本体である。
【００３３】
このハウジング本体３に挿入されるピストンロッド１は、図１及び図２に示す如く前部案内路3bの前方に螺合される後述する固定ナット４の貫通穴4a，前部支持案内路3c，中部支持案内路3e及び最後部のリセットプッシャ案内路3gに摺動自在に挿通されるリセットプッシャ２の内面で摺動自在に支持されている。
【００３４】
そして、このハウジング本体３の前端に設けられている歯牙修復材用カプセルが装着される装着部3aは、例えば図１及び図２に示す如く歯牙修復材用カプセルの外周に設けられた係合用の凹条溝に係合できるようにハウジング本体３の長手方向と垂直な方向に凸条に形成された装着部3aであってもよいが、図示しないがハウジング本体３の装着部3aが歯牙修復材用カプセルを螺入して装着させるために雌ねじ状に形成されていれば、ハウジング本体３の装着部3aに確実に歯牙修復材用カプセルを装着することができるので好ましい。
【００３５】
４はハウジング本体３の前部案内路3bの前方に螺合され、その内面にピストンロッド１の段部1bより前方の部分がその軸方向へ摺動自在な貫通穴4aが穿設されている固定ナットであり、その後面で後述するピストンロッド押戻し用圧縮コイルスプリング５の前端側を支持すると共に、ピストンロッド１が前方へ次々と移動するとピストンロッド１の段部1bがその後面に当接されて、ピストンロッド１がそれ以上前方へ移動しないように位置規制させ且つピストンロッド１がハウジング本体３内より抜け出てしまうのを防止する役目を果たす。
【００３６】
５はハウジング本体３の前部案内路3bにおいてピストンロッド１に外嵌されたリング1eの前面と固定ナット４の後面との間にピストンロッド１の外周に沿って配備され、ピストンロッド１を後方へ押戻す力を常時付与するピストンロッド押戻し用圧縮コイルスプリングであり、リセットプッシャ２の後端側が前方に押し込まれることにより、後述するストッパプレート６がピストンロッド１の軸心に対して直角となるように移行されてピストンロッド１の外周への係合した状態を解除された際に、ピストンロッド１を後方へ押戻してピストンロッド１を初期位置に戻す役目を果たす。
【００３７】
６はピストンロッド１の段部1bより後方の部分の直径よりもその上端と下端との間の距離が長く形成されているピストンロッド用係合穴6aが穿設されており、ハウジング本体３のストッパプレート案内路3f内にピストンロッド１の外周に沿って配備されたストッパプレート用圧縮コイルスプリング6bにより後方へ常時押圧されていて、その上方の後面がリセットプッシャ２の前面上部に且つその下方の後面がリセットプッシャ２の前面よりも前方側に位置するようにハウジング本体３のネジ孔3hに螺入されたストッパプレート位置調整ネジ6cの前端に当接してピストンロッド１の軸心に対して傾斜した状態ではピストンロッド用係合穴6aの上端と下端とがピストンロッド１の外周に係合し、リセットプッシャ２が前方に押し込まれてピストンロッド１の軸心に対して直角になった状態ではピストンロッド用係合穴6aの上端と下端とのピストンロッド１の外周への係合が解除されるストッパプレートであり、ピストンロッド１の軸心に対して傾斜した状態では、ピストンロッド１の外周に係合してピストンロッド１の外周に対して摩擦力を付勢することにより、ピストンロッド１がピストンロッド押戻し用圧縮コイルスプリング５によって後方へ押戻されないようにすると共に、ピストンロッド１がピストンロッドの移動機構のグリッパ７によって前方へ摺動された後にピストンロッド１が再び後方へ摺動しないようにし、リセットプッシャ２が前方に押し込まれてピストンロッド１の軸心に対して直角になった状態では、ピストンロッド１の外周への係合が解除されてピストンロッド１の外周に対して付勢した摩擦力を消滅させることにより、ピストンロッド１がピストンロッド押戻し用圧縮コイルスプリング５によって後方へ押戻されるようにする役目を果たす。
【００３８】
このストッパプレート６に穿設されているピストンロッド用係合穴6aとしては、ピストンロッド１の段部1bより後方の部分の直径よりもその上端と下端との間の距離が長く形成されているもの、例えばピストンロッド１の段部1bより後方の部分の直径よりも大きな真円状に形成されたものであれば、その上端と下端との２点でピストンロッド１の外周に係合することになるが、ピストンロッド用係合穴6aがその上端と下端との間の距離が長く形成された長穴状に形成されていれば、ピストンロッド１に線接触の状態で係合してその係合力が増すので好ましい。
【００３９】
このストッパプレート６の下方の後面が当接するストッパプレート位置調整ネジ6cは、その前端がリセットプッシャ２の前面よりも前方側に位置するようにハウジング本体３のネジ孔3hに螺入されており、ストッパプレート６がピストンロッド１の軸心に対して傾斜した状態において、このストッパプレート位置調整ネジ6cの前端の位置を前後させることによりストッパプレート６の下方の位置を前後に調整してピストンロッド１の軸心に対する角度を変化させて、ストッパプレート６がピストンロッド１の外周に対して付勢する摩擦力を調整するためのものである。
【００４０】
そして、このような構成を備えている歯牙修復材の押出し装置のハウジング本体３のプッシュスライダ案内路3dには、前記したグリッパ７とプッシュスライダ８とから構成されている歯牙修復材の押出し装置におけるピストンロッドの移動機構が配備されており、このピストンロッドの移動機構のプッシュスライダ８のレバー作動部8aが後述するレバー９によりピストンロッド１の軸方向に移動せしめられると、このピストンロッドの移動機構のプッシュスライダ８の押し部8eに穿設されている押し穴8dがグリッパ７の截頭円錐状部7aを縮径させてピストンロッド１の外周を把持させてピストンロッド１を前方へ移動させるのである。
【００４１】
９はハウジング本体３に固定されたレバー軸9aに回転自在に装着されており、スプリング9bの力に抗してピストンロッドの移動機構のプッシュスライダ８の前記レバー作動部8aをピストンロッド１の軸方向に移動させるレバーであり、スプリング9bの力に抗してレバー軸9aを中心に回転させられるように操作されることにより、ピストンロッドの移動機構のプッシュスライダ８のレバー作動部8aをピストンロッド１の軸方向に移動させ、このプッシュスライダ８の押し部8eの押し穴8dでこのピストンロッドの移動機構のグリッパ７の截頭円錐状部7aを縮径させてピストンロッド１の外周を把持させてピストンロッド１を前方へ移動させる役目を果たす。
【００４２】
このレバー９は、ピストンロッドの移動機構のプッシュスライダ８のレバー作動部8aをピストンロッド１の軸方向に移動させる際にレバー９に作用するスプリング9bの力に抗してレバー軸9aを中心に回転させられるものであり、このレバー９に作用するスプリング9bとしては、レバー９をレバー軸9aを中心に回転させる操作を行った後にレバー９に付与した力を解除すると、ピストンロッドの移動機構のプッシュスライダ８のレバー作動部8aをピストンロッド１の軸方向の後方に移動させてレバー９を再び初期位置に戻すことができるように構成されているものであれば特に限定されないが、例えば図１に示す如くピストンロッドの移動機構のプッシュスライダ８のレバー作動部8aをピストンロッド１の軸方向に移動させる際にレバー９に力を作用するスプリング9bが、ハウジング本体３のプッシュスライダ案内路3d内でピストンロッドの移動機構のプッシュスライダ８の押戻し部8cの前面とハウジング本体３の前部支持案内路3cの後面との間でピストンロッド１の外周に沿って配備された圧縮コイルスプリングであってハウジング本体３の前部支持案内路3cの下方にレバー初期位置設定用座ぐり部3iが設けられていたり、図２に示す如くピストンロッドの移動機構のプッシュスライダ８のレバー作動部8aをピストンロッド１の軸方向に移動させる際にレバー９に力を作用するスプリング9bが、一端がハウジング本体３の後部に他端がレバー９にそれぞれ装着された引張りスプリングであってピストンロッドの移動機構のプッシュスライダ８のレバー作動部8aとレバー９の上部とがピストンロッドの移動機構のプッシュスライダ８のピストンロッド１の軸方向への移動を許容する接続部8fで接続されていたりすれば、レバー９を操作した後にレバー９を確実に初期位置に戻すことができるので好ましいばかりでなく、その操作性を向上させることができるので好ましい。
【００４３】
次に、このような構成の本発明に係る歯牙修復材の押出し装置の使用方法について説明する。
初めに準備として、先ず本発明装置のピストンロッド１が初期位置にあるか否かを確認し、ピストンロッド１が初期位置より前方に位置する場合には、リセットプッシャ２の後端側を前方に押し込む操作を行うことによりピストンロッド１を初期位置へと戻す。即ち、後端側を前方に押し込まれたリセットプッシャ２は、ストッパプレート６をピストンロッド１の軸心に対して直角となるように移行させて、ピストンロッド用係合穴6aのピストンロッド１の外周への係合を解除してピストンロッド１の外周に対して付勢した摩擦力を消滅させるさせるから、ピストンロッド１はピストンロッド押戻し用圧縮コイルスプリング５により常時付与される力によって後方へ押戻されて初期位置に戻るのである。
【００４４】
次に、歯牙修復材が収容されている歯牙修復材用カプセルをハウジング本体３の装着部3aに装着する操作を行う。この際、ハウジング本体３の装着部3aが、歯牙修復材用カプセルを螺入して装着させるために雌ねじ状に形成されている態様の場合には、歯牙修復材用カプセルをハウジング本体３の装着部3aに螺入して装着する。
【００４５】
このような準備が完了した後に、先ず歯牙修復材用カプセルのノズル体を患者の治療部位に向けた後に、ハウジング本体３に固定されたレバー軸9aに回転自在に装着されたレバー９をスプリング9bの力に抗して回転させる操作を行う。
【００４６】
ハウジング本体３に固定されたレバー軸9aに回転自在に装着されたレバー９をスプリング9bの力に抗して回転させると、レバー９はピストンロッドの移動機構のプッシュスライダ８のレバー作動部8aをピストンロッド１の軸方向に前方へと移動させ、ピストンロッドの移動機構のプッシュスライダ８の押し部8eの押し穴8dがピストンロッドの移動機構のグリッパ７の截頭円錐状部7aを縮径させてピストンロッド１の外周を把持させ、ピストンロッド押戻し用圧縮コイルスプリング５により常時付与されるピストンロッド１を後方へ押戻す力、及びストッパプレート６がピストンロッド１の外周に係合していることによりピストンロッド１の外周に対して付勢された摩擦力に抗して、ピストンロッド１を前方へ移動させるから、ピストンロッド１の押圧部1aが確実に前方へ移動してハウジング本体３の装着部3aに装着された歯牙修復材用カプセルを押圧し、歯牙修復材用カプセル内に収容された歯牙修復材は押し出されるのである。
【００４７】
次に、ハウジング本体３に固定されたレバー軸9aに回転自在に装着されたレバー９をスプリング9bの力に抗して回転させるために付与した力を解除する操作を行う。レバー９をスプリング9bの力に抗して回転させるために付与した力を解除すると、レバー９はスプリング9bの力により初期位置へと戻るにつれてピストンロッドの移動機構のプッシュスライダ８のレバー作動部8aをピストンロッド１の軸方向に後方へ移動させ、ピストンロッドの移動機構のプッシュスライダ８の押し部8eの押し穴8dとピストンロッドの移動機構のグリッパ７の截頭円錐状部7aとの当接が解除させた後に、ピストンロッドの移動機構のプッシュスライダ８の押戻し部8cによりピストンロッドの移動機構のグリッパ７を後方の初期位置へと押戻すのである。
【００４８】
次いで、前記したハウジング本体３に固定されたレバー軸9aに回転自在に装着されたレバー９をスプリング9bの力に抗して回転させる操作と、ハウジング本体３に固定されたレバー軸9aに回転自在に装着されたレバー９をスプリング9bの力に抗して回転させるために付与した力を解除する操作とを順次繰り返すことにより、歯牙修復材が所望量だけ患者の治療部位に向けて押し出されるのである。
【００４９】
かくして、歯牙修復材が所望量だけ患者の治療部位に向けて押し出されて治療が終了すると、リセットプッシャ２の後端側を前方に押し込む操作を行うことによりピストンロッド１を初期位置へと戻した後に、ハウジング本体３の装着部3aに装着された歯牙修復材用カプセルを取り外せばよいのである。
【図面の簡単な説明】
【００５０】
【図１】本発明に係る歯牙修復材の押出し装置の１実施例の断面説明図である。
【図２】本発明に係る歯牙修復材の押出し装置の他の実施例の断面説明図である。
【図３】本発明に係る歯牙修復材の押出し装置におけるピストンロッドの移動機構に用いられるグリッパの１例を示す斜視説明図である。
【図４】本発明に係る歯牙修復材の押出し装置におけるピストンロッドの移動機構に用いられるプッシュスライダの１例を示す斜視説明図である。
【図５】本発明に係る歯牙修復材の押出し装置に用いられる止め輪とリングとを装着する前の状態のピストンロッドの１例を示す正面説明図である。
【符号の説明】
【００５１】
１  ピストンロッド
1a  押圧部
1b  段部
1c  リング係止溝
1d  止め輪
1e  リング
２  リセットプッシャ
2a  フランジ
３  ハウジング本体
3a  装着部
3b  前部案内路
3c  前部支持案内路
3d  プッシュスライダ案内路
3e  中部支持案内路
3f  ストッパプレート案内路
3g  リセットプッシャ案内路
3h  ネジ孔
3i  レバー初期位置設定用座ぐり部
４  固定ナット
4a  貫通穴
５  ピストンロッド押戻し用圧縮コイルスプリング
６  ストッパプレート
6a  ピストンロッド用係合穴
6b  ストッパプレート用圧縮コイルスプリング
6c  ストッパプレート位置調整ネジ
７  グリッパ
7a  截頭円錐状部
7b  把持用貫通穴
7c  スリット
８  プッシュスライダ
8a  レバー作動部
8b  押戻し穴
8c  押戻し部
8d  押し穴
8e  押し部
8f  接続部
９  レバー
9a  レバー軸
9b  スプリング
【図１】
2005328978.tif 000003
【図２】
2005328978.tif 000004
【図３】
2005328978.tif 000005
【図４】
2005328978.tif 000006
【図５】
2005328978.tif 000007